(57)【要約】【課題】手間をかけることなく、正確な日時を記事の投稿日に容易に設定可能とする。【解決手段】携帯端末２０は、ウェブログサーバ１０に対して、ウェブログの投稿記事を投稿するとともに、撮像した画像などのファイルをアップロードする。ウェブログサーバ１０では、制御部１５が、記憶部１３のプログラムを実行することにより、携帯端末１０から投稿された投稿記事の投稿日時を、所定の条件に応じて、実投稿日時に設定するか、あるいは撮像した画像などのファイルに関連付けられている日時（データファイルであれば、タイムスタンプ、画像ファイルであれば、Ｅｘｉｆデータ内の撮影日時）に設定する。【選択図】図１
2013247515.tif 000002
【特許請求の範囲】
【請求項１】
ウェブログの投稿記事に追加してファイルのアップロードが可能なサーバ装置であって、
前記投稿記事の投稿日時を、前記アップロードされたファイルに関連付けられている日時に連動して設定する日時設定手段を備える
ことを特徴とするサーバ装置。
【請求項２】
前記投稿記事の投稿日時として、実投稿日時に設定するか、あるいは前記ファイルに関連付けられている日時に設定するかを、選択可能とする選択手段を更に備える
ことを特徴とする請求項１に記載のサーバ装置。
【請求項３】
前記選択手段は、
前記投稿記事の投稿日時として、更に、実投稿日時、あるいは前記ファイルに関連付けられている日時のいずれかを、所定の条件に応じて自動で設定することを、選択可能とする
ことを特徴とする請求項２に記載のサーバ装置。
【請求項４】
前記日時設定手段は、
前記選択手段により、前記投稿記事の投稿日時として、前記実投稿日時、あるいは前記ファイルに関連付けられている日時のいずれかを、所定の条件に応じて自動で設定することが選択されている場合であって、前記所定の条件として、前記実投稿日時と前記ファイルの日時とが所定値以上乖離してない場合に、前記ファイルの日時を前記投稿記事の投稿日時として設定する
ことを特徴とする請求項３に記載のサーバ装置。
【請求項５】
前記所定値を設定可能とする設定手段を更に備える
ことを特徴とする請求項４に記載のサーバ装置。
【請求項６】
前記日時設定手段は、
前記選択手段により、前記投稿記事の投稿日時として、前記実投稿日時、あるいは前記ファイルに関連付けられている日時のいずれかを、所定の条件に応じて自動で設定することが選択されている場合であって、前記所定の条件として、前記実投稿日時と前記ファイルの日時との間に投稿が行われていない場合に、前記ファイルの日時を、前記投稿記事の投稿日時として設定する
ことを特徴とする請求項３または４に記載のサーバ装置。
【請求項７】
前記選択手段は、
前記投稿記事の投稿日時として、更に、任意の日時を設定することを、選択可能とする
ことを特徴とする請求項２に記載のサーバ装置。
【請求項８】
前記日時設定手段は、
複数のファイルが同時にアップロードされた場合には、前記複数のファイルの各々に関連づけられている日時のうち、前記実投稿日時に一番近い日時を、前記投稿記事の投稿日時として設定することを特徴とする請求項１に記載のサーバ装置。
【請求項９】
前記ファイルは、画像ファイルである
ことを特徴とする請求項１乃至８のいずれかに記載のサーバ装置。
【請求項１０】
前記画像ファイルに関連付けられている位置データを、該画像ファイルのファイル名に取り入れる
ことを特徴とする請求項９に記載のサーバ装置。
【請求項１１】
前記画像ファイルに関連付けられている位置データに基づいて、地図データへのリンクを張ることを特徴とする請求項９に記載のサーバ装置。
【請求項１２】
前記画像ファイルに含まれる顔認識手段を更に備え、
前記顔認識手段により前記画像ファイルに予め登録されている顔が認識された場合には、該認識された顔画像に関連するウェブページにリンクを張る
ことを特徴とする請求項９に記載のサーバ装置。
【請求項１３】
ウェブログへの投稿記事の投稿日時の定期性を算出する算出手段と、
前記ウェブログへの投稿記事の投稿毎に前記算出手段により算出された定期性に対して、実投稿日時が所定値以上乖離しているか否かを判別する判別手段と、
前記判別手段により前記算出された定期性からの乖離が所定の範囲内と判別された場合に、該投稿記事の投稿日時を、所定の日時に設定する日時設定手段と
を備えることを特徴とするサーバ装置。
【請求項１４】
前記算出手段により算出された前記定期性が略毎日１回の場合であって、
前記判別手段は、
前記実投稿日の前日に投稿がなく、かつ前記実投稿日時が所定の深夜時間帯である場合に所定の範囲内の乖離と判別し、
前記日時設定手段は、
前記投稿記事の投稿日を、前記実投稿日の前日の所定時刻に設定する
ことを特徴とする請求項１３に記載のサーバ装置。
【請求項１５】
前記ウェブログは、
時間軸で整理、分類された情報を記憶する記憶手段と、
前記記憶手段に記憶された情報をインターネットを介して閲覧可能にする閲覧手段と、
インターネットを介して任意の日時に投稿された投稿記事を、その投稿日時により整理、分類して前記記憶手段に追加して記憶させる投稿手段と、
により管理される
ことを特徴とする請求項１乃至１４のいずれかに記載のサーバ装置。
【請求項１６】
ウェブログの投稿記事を投稿する携帯端末と、該携帯端末から投稿されるウェブログの投稿記事を、投稿日時に関連付けて管理するサーバ装置とからなるウェブログ投稿システムであって、
前記携帯端末は、
前記投稿記事を前記サーバ装置に投稿するとともに、該投稿記事に関連するファイルを追加してアップロードする通信手段を備え、
前記サーバ装置は、
前記携帯端末から投稿される投稿記事の投稿日時を、前記携帯端末からアップロードされた前記ファイルに関連付けられている日時に連動して設定する日時設定手段を備える
ことを特徴とするウェブログ投稿システム。
【請求項１７】
携帯端末から投稿されるウェブログの投稿記事を、サーバ装置によって投稿日時に関連付けて管理するウェブログ投稿方法であって、
前記携帯端末から前記サーバ装置に対して、前記投稿記事を投稿するとともに、該投稿記事に関連するファイルを追加してアップロードするステップと、
前記サーバ装置が、前記携帯端末から投稿される投稿記事の投稿日時を、前記携帯端末からアップロードされた前記ファイルに関連付けられている日時に連動して設定するステップと
を含むことを特徴とするウェブログ投稿方法。
【請求項１８】
ウェブログの投稿記事を投稿する携帯端末と、該携帯端末から投稿されるウェブログの投稿記事を、投稿日時に関連付けて管理するサーバ装置とからなるウェブログ投稿システムであって、
前記携帯端末は、
前記投稿記事を前記サーバ装置に投稿する通信手段を備え、
前記サーバ装置は、
前記携帯端末からのウェブログへの投稿記事の投稿日時の定期性を算出する算出手段と、
前記ウェブログへの投稿記事の投稿毎に前記算出手段により算出された定期性に対して、前記携帯端末による実投稿日時が所定値以上乖離しているか否かを判別する判別手段と、
前記判別手段により前記算出された定期性からの乖離が所定の範囲内と判別された場合に、該投稿記事の投稿日時を、所定の日時に設定する日時設定手段と
を備えることを特徴とするウェブログ投稿システム。
【請求項１９】
携帯端末から投稿されるウェブログの投稿記事を、サーバ装置によって投稿日時に関連付けて管理するウェブログ投稿方法であって、
前記携帯端末から前記サーバ装置に対して、前記投稿記事を投稿するステップと、
前記サーバ装置が、前記携帯端末からのウェブログへの投稿記事の投稿日時の定期性を算出するステップと、
前記ウェブログへの投稿記事の投稿毎に算出された定期性に対して、前記携帯端末による実投稿日時が所定値以上乖離しているか否かを判別するステップと、
前記算出された定期性からの乖離が所定の範囲内と判別された場合に、前記投稿記事の投稿日時を、所定の日時に設定するステップと
を含むことを特徴とするウェブログ投稿方法。
【発明の詳細な説明】
【技術分野】
【０００１】
本発明は、サーバ装置、ウェブログ投稿システム、及びウェブログ投稿方法に関する。
【背景技術】
【０００２】
従来、ウェブログサイトに画像ファイルをアップロードして絵日記のように使用できる機能が周知となっており、ウェブログサイトに適切なサイズに撮影画像を変換して、ウェブログサイトにアップロードする技術が開示されている（例えば特許文献１参照）。
【先行技術文献】
【特許文献】
【０００３】
【特許文献１】特開２００８−３４９６３号公報
【発明の概要】
【発明が解決しようとする課題】
【０００４】
ところで、上記従来技術において、毎日記事を投稿するような利用者であれば、画像データに関連した記事を投稿した際、投稿日と画像の撮影日付とがそれほど離れていないので問題は生じない。しかしながら、たまに投稿する利用者が画像データに関連した記事を投稿する場合には、投稿日と画像の撮影日付とが離れてしまうという問題がある。また、投稿日を指定することができたとしても、手間がかかるという問題がある。
【０００５】
そこで本発明は、手間をかけることなく、正確な日時を記事の投稿日に容易に設定することができるサーバ装置、ウェブログ投稿システム、及びウェブログ投稿方法を提供することを目的とする。
【課題を解決するための手段】
【０００６】
この発明は、ウェブログの投稿記事に追加してファイルのアップロードが可能なサーバ装置であって、前記投稿記事の投稿日時を、前記アップロードされたファイルに関連付けられている日時に連動して設定する日時設定手段を備えることを特徴とするサーバ装置である。
【０００７】
この発明は、ウェブログへの投稿記事の投稿日時の定期性を算出する算出手段と、前記ウェブログへの投稿記事の投稿毎に前記算出手段により算出された定期性に対して、実投稿日時が所定値以上乖離しているか否かを判別する判別手段と、前記判別手段により前記算出された定期性からの乖離が所定の範囲内と判別された場合に、該投稿記事の投稿日時を、所定の日時に設定する日時設定手段とを備えることを特徴とするサーバ装置である。
【０００８】
この発明は、ウェブログの投稿記事を投稿する携帯端末と、該携帯端末から投稿されるウェブログの投稿記事を、投稿日時に関連付けて管理するサーバ装置とからなるウェブログ投稿システムであって、前記携帯端末は、前記投稿記事を前記サーバ装置に投稿するとともに、該投稿記事に関連するファイルを追加してアップロードする通信手段を備え、前記サーバ装置は、前記携帯端末から投稿される投稿記事の投稿日時を、前記携帯端末からアップロードされた前記ファイルに関連付けられている日時に連動して設定する日時設定手段を備えることを特徴とするウェブログ投稿システムである。
【０００９】
この発明は、携帯端末から投稿されるウェブログの投稿記事を、サーバ装置によって投稿日時に関連付けて管理するウェブログ投稿方法であって、前記携帯端末から前記サーバ装置に対して、前記投稿記事を投稿するとともに、該投稿記事に関連するファイルを追加してアップロードするステップと、前記サーバ装置が、前記携帯端末から投稿される投稿記事の投稿日時を、前記携帯端末からアップロードされた前記ファイルに関連付けられている日時に連動して設定するステップとを含むことを特徴とするウェブログ投稿方法である。
【００１０】
この発明は、ウェブログの投稿記事を投稿する携帯端末と、該携帯端末から投稿されるウェブログの投稿記事を、投稿日時に関連付けて管理するサーバ装置とからなるウェブログ投稿システムであって、前記携帯端末は、前記投稿記事を前記サーバ装置に投稿する通信手段を備え、前記サーバ装置は、前記携帯端末からのウェブログへの投稿記事の投稿日時の定期性を算出する算出手段と、前記ウェブログへの投稿記事の投稿毎に前記算出手段により算出された定期性に対して、前記携帯端末による実投稿日時が所定値以上乖離しているか否かを判別する判別手段と、前記判別手段により前記算出された定期性からの乖離が所定の範囲内と判別された場合に、該投稿記事の投稿日時を、所定の日時に設定する日時設定手段とを備えることを特徴とするウェブログ投稿システムである。
【００１１】
この発明は、携帯端末から投稿されるウェブログの投稿記事を、サーバ装置によって投稿日時に関連付けて管理するウェブログ投稿方法であって、前記携帯端末から前記サーバ装置に対して、前記投稿記事を投稿するステップと、前記サーバ装置が、前記携帯端末からのウェブログへの投稿記事の投稿日時の定期性を算出するステップと、前記ウェブログへの投稿記事の投稿毎に算出された定期性に対して、前記携帯端末による実投稿日時が所定値以上乖離しているか否かを判別するステップと、前記算出された定期性からの乖離が所定の範囲内と判別された場合に、前記投稿記事の投稿日時を、所定の日時に設定するステップとを含むことを特徴とするウェブログ投稿方法である。
【発明の効果】
【００１２】
この発明によれば、手間をかけることなく、正確な日時を記事の投稿日に容易に設定することができるという利点が得られる。
【図面の簡単な説明】
【００１３】
【図１】本発明の実施形態によるウェブログサーバ１０、及び携帯端末２０の構成を示すブロック図である。
【図２】本実施形態の顔画像テーブル１３１の一例を示す概念図である。
【図３】本実施形態の投稿日時設定種類、及び毎日フラグを説明するための概念図である。
【図４】本実施形態によるウェブログサーバ１０の動作を説明するためのフローチャートである。
【図５】本実施形態によるウェブログサーバ１０の動作を説明するためのフローチャートである。
【図６】本実施形態によるウェブログサーバ１０の動作を説明するためのフローチャートである。
【発明を実施するための形態】
【００１４】
以下、本発明の実施の形態を、図面を参照して説明する。
【００１５】
ここで言うウェブログとは、少なくとも、時間軸で整理、分類された情報を、インターネットを介して閲覧可能なウェブサイトであり、特に、インターネットを介した日々のアクセスである投稿により自動的な更新が可能であり、投稿の日時により情報が整理、分類されるものをいう。
【００１６】
図１（ａ）、（ｂ）は、各々、本発明の実施形態によるウェブログサーバ１０、及び携帯端末２０の構成を示すブロック図である。図１（ａ）において、ウェブログサーバ１０は、操作部１１、電源部１２、記憶部１３、通信部１４、及び制御部１５から構成されている。操作部１１は、キーボードやマウスなどのポインティングデバイス、あるいは図示しない表示部に設けられたタッチパネルなどからなる。電源部１２は、各部に動作用の電力を供給する。
【００１７】
記憶部１３は、プログラムや各種データなどを記憶する。特に、本実施形態では、記憶部１３は、顔画像テーブル１３１を備えている。該顔画像テーブル１３１は、後述する携帯端末２０から記事の投稿とともにアップロードされる画像データに含まれる人物の顔が予め登録された顔であるかを認識するために用いられる。なお、顔認識の詳細については後述する。通信部１４は、有線／無線によりインターネットなどのネットワークに接続し、外部機器である他のコンピュータや、後述する携帯端末２０との間でデータの送受信を行う。
【００１８】
制御部１５は、上記プログラムを実行することにより各部の動作を制御する。特に、本実施形態では、制御部１５は、インターネットを介してウェブログページを提供し、後述する携帯端末２０などからのウェブログページへの投稿記事を、その投稿日時に関連付けて管理・運用する。このとき、制御部１５は、投稿記事の投稿日時を、アップロードされたファイルに関連付けられている日時に連動して設定する。
【００１９】
図１（ｂ）において、携帯端末２０は、操作部２１、電源部２２、撮像部２３、表示部２４、記憶部２５、通信部２６、及び制御部２７から構成されている。操作部１１は、キーボードやマウスなどのポインティングデバイス、あるいは図示しない表示部に設けられたタッチパネルなどからなる。電源部１２は、各部に動作用の電力を供給する二次電池などからなる。撮像部２３は、レンズ等の光学系や撮像素子などからなり、静止画や動画などを撮像して取り込む。
【００２０】
表示部２４は、液晶表示器や有機ＥＬ表示器などからなり、各種メニューやデータ、画像、動画などを表示する。記憶部２５は、プログラムや各種データなどを記憶する。通信部２６は、有線／無線によりインターネットなどのネットワークに接続し、ウェブログサーバ１０との間でデータの送受信を行う。制御部２７は、上記プログラムを実行することにより各部の動作を制御する。
【００２１】
特に、本実施形態では、制御部２７は、上記投稿記事をウェブログサーバ１０に投稿する。携帯端末２０からは、投稿記事（文字情報）に加えて、ファイル（データファイル、画像ファイル、動画ファイルなど）を、ウェブログサーバ１０にアップロードすることが可能となっている。アップロードするファイルには、日時（データファイルであれば、タイムスタンプ、画像ファイルであれば、Ｅｘｉｆデータ内の撮影日時）や位置情報が関連付けられている。
【００２２】
図２は、本実施形態の顔画像テーブル１３１の一例を示す概念図である。図２に示す顔画像テーブル１３１は、名前とその人の顔画像情報とそのリンク情報とを保持している。ウェブログサーバ１０は、投稿された画像ファイルに含まれる顔を抽出し、該顔が顔画像テーブル１３１に予め登録されている顔と一致したと認識された場合に、該顔に紐付けられているリンク情報（例えば、ＳＮＳ：ソーシャル・ネットワーキング・サービスの個人のページなど）に従って、関連するウェブページのリンクを張る。
【００２３】
図３（ａ）、（ｂ）は、各々、本実施形態の投稿日時設定種類、及び毎日フラグを説明するための概念図である。ユーザは、図３（ａ）に示す投稿日時設定種類のいずれかに予め設定しておく。ウェブログサーバ１０は、記事（画像付きの場合もある）が投稿されると、予め設定された投稿日時設定種類に従って、記事の投稿日時を設定するようになっている。
【００２４】
投稿日時設定種類「０」の場合には、実際に投稿した日時（以下、実投稿日時という）を、記事の投稿日時とする、「実投稿日時」となる。投稿日時設定種類「１」の場合には、記事の投稿日時を、画像ファイル等のアップロードファイルの日時（データファイルであれば、タイムスタンプ、画像ファイルであれば、Ｅｘｉｆデータ内の撮影日時）とする、「アップロードファイル日時」となる。
【００２５】
投稿日時設定種類「２」の場合には、実投稿日時を、記事の投稿日時とする、「実投稿日時」か、画像ファイル等のアップロードファイルの日時（画像ファイルであれば撮影日時）とする、「アップロードファイル日時」のどちらかを選択可能な「実投稿日時／アップロードファイル日時の自動選択」となる。そして、投稿日時設定種類「３」の場合には、投稿時にユーザが任意に指定可能な「任意日時設定」となる。
【００２６】
図３（ｂ）に示す毎日フラグは、ユーザの投稿新頻度を示している。毎日フラグ「０」は、略毎日更新されていないことを意味し、毎日フラグ「１」は、略毎日更新されていることを意味する。ウェブログサーバ１０は、ユーザの投稿日時の間隔から算出した演算結果に基づいて該毎日フラグを設定する。
【００２７】
図４乃至図６は、本実施形態によるウェブログサーバ１０の動作を説明するためのフローチャートである。ウェブログサーバ１０は、まず、携帯端末２０から記事が投稿されたか否かを判断する（ステップＳ１０）。そして、記事が投稿された場合には（ステップＳ１０のＹＥＳ）、ユーザ操作により携帯端末２０から記事を入力する（ステップＳ１２）。次に、１０は、一旦、実投稿日時を記事の投稿日時に設定する（ステップＳ１４）。次に、ウェブログサーバ１０は、当該ユーザによる投稿の定期性を算出する（ステップＳ１６）。ここで、定期性は、投稿日時の履歴間の時間を算出し、その平均値、標準偏差を基に、当該ユーザによる投稿に定期性（１日ごと、３日ごと、１週間ごとなど）があるか否かを判別する。ここでは、図３（ｂ）で説明したように、定期性の判断として、略毎日更新されていないか、略毎日更新されているかを判別する。
【００２８】
そして、ウェブログサーバ１０は、当該ユーザによる投稿に、毎日の定期性があるか否かを判断し（ステップＳ１８）、毎日の定期性がある場合には（ステップＳ１８のＹＥＳ）、毎日フラグを「１」とし（ステップＳ２０）、毎日の定期性がない場合には（ステップＳ１８のＮＯ）、毎日フラグをデフォルトの「０」とする。なお、毎日だけでなく、毎週や日に２回、などでもよい。
【００２９】
次に、ユーザにより携帯端末２０からファイルがアップロードされたか否かを判断する（ステップＳ２２）。そして、ファイルがアップロードされなかった場合には（ステップＳ２２のＮＯ）、毎日フラグが「１」であるか否かを判断する（図５のステップＳ５０）。そして、毎日フラグが「１」である場合、すなわち当該ユーザによる投稿に、毎日の定期性がある場合には（ステップＳ５０のＹＥＳ）、前日の投稿がなく、実投稿時刻が深夜時間帯であるか否かを判断する（ステップＳ５２）。
【００３０】
そして、前日の投稿がなく、実投稿時刻が深夜時間帯である場合には（ステップＳ５２のＹＥＳ）、たまたま日を跨いで投稿時刻が遅れたと判断し、前日の所定時刻（例えば、２３：００など）を、記事の投稿日時に設定する（ステップＳ５４）。なお、投稿間隔が毎週や日に２回などである場合には、その投稿間隔に相当する日時に設定するようにしてもよい。その後、図４のステップＳ１０に戻る。
【００３１】
一方、前日の投稿があったか、あるいは実投稿時刻が深夜時間帯でない場合には（ステップＳ５２のＮＯ）、実投稿日時を、記事の投稿日時に設定する（ステップＳ５６）。その後、図４のステップＳ１０に戻る。
【００３２】
また、毎日フラグが「１」でない場合、すなわち当該ユーザによる投稿に、毎日の定期性がない場合には（ステップＳ５０のＮＯ）、何もせず図４のステップＳ１０に戻る。この場合、ステップＳ１４で、実投稿日時を投稿日時に設定しているので、記事の投稿日時は、実投稿日時となる。
【００３３】
一方、ファイルがアップロードされた場合には（ステップＳ２２のＹＥＳ）、ユーザにより予め設定されている、投稿日時設定種類が「０」、「１ｏｒ２」、「３」のいずれであるかを判断する（ステップＳ２４）。
【００３４】
まず、投稿日時設定種類が「１ｏｒ２」の場合、すなわち、図３（ａ）に示すように、「アップロードファイル日時」、または「実投稿日時／アップロードファイル日時  自動選択」が設定されている場合について説明する。投稿日時設定種類が「１ｏｒ２」の場合、すなわち、「アップロードファイル日時」、または「実投稿日時／アップロードファイル日時  自動選択」が設定されている場合には（ステップＳ２４の「１ｏｒ２」）、アップロードされたファイルに関連付けられている日時データを取得し（ステップＳ２６）、未取得のファイルがあるか否かを判断する（ステップＳ２８）。
【００３５】
そして、未取得のファイルがある場合には（ステップＳ２８のＹＥＳ）、ステップＳ２６に戻り、アップロードされた次のファイルに関連付けられている日時データを取得する。以下、未取得のファイルがなくなるまで、アップロードされたファイルから日時データを取得する。そして、未取得のファイルがなくなった場合には（ステップＳ２８のＮＯ）、投稿日時設定種類が「１」であるか、「２」であるかを判断する（ステップＳ３０）。
【００３６】
そして、投稿日時設定種類が「１」の場合、すなわち、「アップロードファイル日時」が設定されている場合には（ステップＳ３０の「１」）、実投稿日時（現在日時）に一番近いファイルの日時を、記事の投稿日時に設定する（ステップＳ３６）。
【００３７】
一方、投稿日時設定種類が「２」の場合、すなわち、「実投稿日時／アップロードファイル日時  自動選択」であった場合には（ステップＳ３０の「２」）、実投稿日時（現在日時）と該実投稿日時に一番近いファイルの日時との間に１０日以上の乖離があるか否かを判断する（ステップＳ３２）。すなわち、アップロードされたファイルの日時（例えば、画像ファイルの撮影日時）が現在日時（実投稿日時）より１０日以上過去のものであるか判断する。
【００３８】
そして、実投稿日時（現在日時）と該実投稿日時に一番近いファイルの日時との間に１０日以上の乖離がない場合、すなわちファイルの日時が１０日以内である場合には（ステップＳ３２のＮＯ）、実投稿日時と該実投稿日時に一番近いファイルの日時との間に投稿があったか否かを判断する（ステップＳ３４）。そして、実投稿日時と該実投稿日時に一番近いファイルの日時との間に投稿がなかった場合には（ステップＳ３４のＮＯ）、投稿忘れの可能性があるので、実投稿日時（現在日時）に一番近いファイルの日時を、記事の投稿日時に設定する（ステップＳ３６）。
【００３９】
また、実投稿日時（現在日時）と該実投稿日時に一番近いファイルの日時との間が１０日以上の乖離している場合（ステップＳ３２のＹＥＳ）、あるいは、ファイルの日時が１０日以内であるものの、実投稿日時と一番近いファイルの日時との間に投稿があった場合には（ステップＳ３４のＹＥＳ）、投稿忘れの可能性は低いので、不用意に投稿日時を変えずに、図６のステップＳ５８に進む。この場合、ステップＳ１４で、実投稿日時を投稿日時に設定しているので、記事の投稿日時は、実投稿日時となる。
【００４０】
次に、投稿日時設定種類が「３」の場合、すなわち、「任意日時設定」であった場合には（ステップＳ２４の「３」）、ユーザ操作により携帯端末２０から投稿日時を入力させ（ステップＳ３８）、該入力された日時を、記事の投稿日時に設定する（ステップＳ４０）。その後、図６のステップＳ５８に進む。
【００４１】
また、投稿日時設定種類が「０（実投稿日時）」である場合には（ステップＳ２４の「０」）、投稿日時を変えずに、図６のステップＳ５８に進む。この場合、ステップＳ１４で、実投稿日時を投稿日時に設定しているので、記事の投稿日時は、実投稿日時となる。  
【００４２】
そして、投稿日時設定種類が「０」、「１ｏｒ２」、または「３」のいずれの場合も、アップロードされたファイルが画像ファイルであるか否かを判断する（図６のステップＳ５８）。そして、アップロードされたファイルが画像ファイルである場合には（ステップＳ５８のＹＥＳ）、画像ファイルに（撮影場所の）位置情報が関連付けられているか否かを判断する（ステップＳ６０）。そして、位置情報が関連付けられている場合には（ステップＳ６０のＹＥＳ）、位置情報を取り入れ、画像ファイルのファイル名を取り入れた位置情報でリネームし（ステップＳ６２）、位置情報を基に地図情報へのリンクを投稿記事に張る（ステップＳ６４）。その後、図４のステップＳ１０に戻る。
【００４３】
一方、画像ファイルに位置情報が関連付けられていない場合には（ステップＳ６０のＮＯ）、画像に顔が含まれているか否かを判断する（ステップＳ６６）。そして、画像に顔が含まれている場合には（ステップＳ６６のＹＥＳ）、顔画像テーブル１３１を参照し（ステップＳ６８）、登録されている顔であるか否かを判断する（ステップＳ７０）。
【００４４】
そして、登録されている顔であった場合には（ステップＳ７０のＹＥＳ）、該顔にリンク情報が紐付けられているか否かを判断し（ステップＳ７２）、リンク情報がある場合には（ステップＳ７２のＹＥＳ）、該リンク情報を投稿記事に張る（ステップＳ７４）。その後、図４のステップＳ１０に戻る。
【００４５】
一方、アップロードされたファイルが画像ファイルでない場合（ステップＳ５８のＮＯ）、あるいは、画像ファイルであったものの、顔が含まれていない場合（ステップＳ６６のＮＯ）、あるいは、画像ファイルに含まれていた顔が、登録された顔でなかった場合（ステップＳ７０のＮＯ）、あるいは、登録されている顔であったものの、リンク情報がなかった場合には（ステップＳ７２のＮＯ）、何もせず、図４のステップＳ１０に戻る。
【００４６】
一方、携帯端末２０から記事が投稿されていない場合には（ステップＳ１０のＮＯ）、ウェブログの記事閲覧であるか否かを判断する（ステップＳ４１）。そして、記事閲覧であった場合には（ステップＳ４１のＹＥＳ）、ユーザ操作により携帯端末２０から閲覧日を選択させ（ステップＳ４２）、選択された閲覧日を投稿日時とする投稿記事を読み出し、携帯端末２０の表示部２４に表示する（ステップＳ４４）。その後、ステップＳ１０に戻る。
【００４７】
また、記事投稿でも記事閲覧でもない場合には（ステップＳ４１のＮＯ）、携帯端末２０でその他の操作があったか否かを判断する（ステップＳ４６）。そして、その他の操作があった場合には（ステップＳ４６のＹＥＳ）、操作に応じた処理を実行し（ステップＳ４８）、その後、ステップＳ１０に戻る。一方、その他の操作もなかった場合には（ステップＳ４６のＮＯ）、何もせずにステップＳ１０に戻る。
【００４８】
上述した実施形態によれば、投稿記事の投稿日時をアップロードされたファイルに関連付けられている日時データに連動して設定するようにしたので、正確な日時を指定することができ、設定の手間も省くことができる。
【００４９】
また、上述した実施形態によれば、投稿記事の投稿日時を、実投稿日時に設定するか、あるいはファイルに関連付けられている日時に設定するかを、選択可能としたので、用途や目的に応じて適切に投稿日を選択することができる。
【００５０】
また、上述した実施形態によれば、投稿記事の投稿日時として、更に実投稿日時、またはファイルに関連付けられている日時のいずれかを、所定の条件に応じて自動で設定することを、選択可能としたので、公開日時の選択がより適切に行うことができる。
【００５１】
また、上述した実施形態によれば、投稿記事の投稿日時として、実投稿日時、またはファイルに関連付けられている日時のいずれかを、所定の条件に応じて自動で設定することが選択されている場合に、所定の条件として、実投稿日時とファイルの日時とが所定値以上（例えば、１０日以上）乖離してない場合に、ファイルの日時を投稿日時として設定するようにしたので、例えば昨年の同じ日の画像といったように明らかに参考用にアップロードしたファイルの日時には設定されないようにできる。
【００５２】
また、上述した実施形態によれば、所定値を設定可能としたので、参考用のファイルとするか否かの判別する日数時間をユーザの目的や用途に応じて任意に設定することができる。
【００５３】
また、上述した実施形態によれば、投稿記事の投稿日時として、実投稿日時、またはファイルに関連付けられている日時のいずれかを、所定の条件に応じて自動で設定することが選択されている場合に、所定の条件として、実投稿日時とファイルの日時との間に投稿が行われていない場合に、ファイルの日時を投稿日時に設定するようにしたので、実投稿日時とファイルの日時との間に投稿が行われていれば、投稿忘れの可能性は低いので、不用意に投稿日時を設定しないようにできる。
【００５４】
また、上述した実施形態によれば、投稿記事の投稿日時として、更に任意の日時を設定することを、選択可能としたので、所望する投稿日時を設定することができる。
【００５５】
また、上述した実施形態によれば、複数のファイルが同時にアップロードされた場合は、実投稿日時に一番近い日時を、投稿記事の投稿日時として設定するようにしたので、複数のファイルをアップロードした場合も適切に投稿日時を設定することができる。
【００５６】
また、上述した実施形態によれば、ファイルとして画像ファイルを用いたので、絵日記のような使い方ができる。
【００５７】
また、上述した実施形態によれば、画像ファイルに関連付けられている位置データを該画像ファイルのファイル名に取り入れることで、どこへ行ったのかといったことを手動で入力する手間が省ける。
【００５８】
また、上述した実施形態によれば、画像ファイルに関連付けられている位置データを元に地図データへのリンクを張るようにしたので、地図データへのリンクを自動的に張ることができる。
【００５９】
また、上述した実施形態によれば、画像ファイルに予め登録されている顔が認識された場合には、該認識された顔画像に関連するウェブページにリンクを張るようにしたので、画像に含まれる人物に関連するウェブサイトに自動的にリンクを張ることができる。
【００６０】
また、上述した実施形態によれば、ウェブログへの投稿記事の投稿日時の定期性を算出し、ウェブログへの投稿記事の投稿毎に算出された定期性に基づいて、所定の範囲内の乖離であった場合に、該投稿記事の投稿日時を適切に設定するようにしたので、定期的に投稿している場合に、たまたま投稿日時がずれたとしても自動的に適切な公開日時に設定することができる。
【００６１】
また、上述した実施形態によれば、定期性が略毎日１回の場合に、実投稿日時の前日に投稿がなく、かつ実投稿日時が所定の深夜時間帯である場合に、投稿記事の投稿日を実投稿日の前日の所定時刻に設定するようにしたので、日記用途であれば日時を意識せずに投稿でき、後から見たときに１日１記事とすることができる。
【００６２】
以上、この発明のいくつかの実施形態について説明したが、この発明は、これらに限定されるものではなく、特許請求の範囲に記載された発明とその均等の範囲を含むものである。
以下に、本願出願の特許請求の範囲に記載された発明を付記する。
【００６３】
（付記１）
付記１に記載の発明は、ウェブログの投稿記事に追加してファイルのアップロードが可能なサーバ装置であって、前記投稿記事の投稿日時を、前記アップロードされたファイルに関連付けられている日時に連動して設定する日時設定手段を備えることを特徴とするサーバ装置である。
【００６４】
（付記２）
付記２に記載の発明は、前記投稿記事の投稿日時として、実投稿日時に設定するか、あるいは前記ファイルに関連付けられている日時に設定するかを、選択可能とする選択手段を更に備えることを特徴とする付記１に記載のサーバ装置である。
【００６５】
（付記３）
付記３に記載の発明は、前記選択手段は、前記投稿記事の投稿日時として、更に、実投稿日時、あるいは前記ファイルに関連付けられている日時のいずれかを、所定の条件に応じて自動で設定することを、選択可能とすることを特徴とする付記２に記載のサーバ装置である。
【００６６】
（付記４）
付記４に記載の発明は、前記日時設定手段は、前記選択手段により、前記投稿記事の投稿日時として、前記実投稿日時、あるいは前記ファイルに関連付けられている日時のいずれかを、所定の条件に応じて自動で設定することが選択されている場合であって、前記所定の条件として、前記実投稿日時と前記ファイルの日時とが所定値以上乖離してない場合に、前記ファイルの日時を前記投稿記事の投稿日時として設定することを特徴とする付記３に記載のサーバ装置である。
【００６７】
（付記５）
付記５に記載の発明は、前記所定値を設定可能とする設定手段を更に備えることを特徴とする付記４に記載のサーバ装置である。
【００６８】
（付記６）
付記６に記載の発明は、前記日時設定手段は、前記選択手段により、前記投稿記事の投稿日時として、前記実投稿日時、あるいは前記ファイルに関連付けられている日時のいずれかを、所定の条件に応じて自動で設定することが選択されている場合であって、前記所定の条件として、前記実投稿日時と前記ファイルの日時との間に投稿が行われていない場合に、前記ファイルの日時を、前記投稿記事の投稿日時として設定することを特徴とする付記３または４に記載のサーバ装置である。
【００６９】
（付記７）
付記７に記載の発明は、前記選択手段は、前記投稿記事の投稿日時として、更に、任意の日時を設定することを、選択可能とすることを特徴とする付記２に記載のサーバ装置である。
【００７０】
（付記８）
付記８に記載の発明は、前記日時設定手段は、複数のファイルが同時にアップロードされた場合には、前記複数のファイルの各々に関連づけられている日時のうち、前記実投稿日時に一番近い日時を、前記投稿記事の投稿日時として設定することを特徴とする付記１に記載のサーバ装置である。
【００７１】
（付記９）
付記９に記載の発明は、前記ファイルは、画像ファイルであることを特徴とする付記１乃至８のいずれかに記載のサーバ装置である。
【００７２】
（付記１０）
付記１０に記載の発明は、前記画像ファイルに関連付けられている位置データを、該画像ファイルのファイル名に取り入れることを特徴とする付記９に記載のサーバ装置である。
【００７３】
（付記１１）
付記１１に記載の発明は、前記画像ファイルに関連付けられている位置データに基づいて、地図データへのリンクを張ることを特徴とする付記９に記載のサーバ装置である。
【００７４】
（付記１２）
付記１２に記載の発明は、前記画像ファイルに含まれる顔認識手段を更に備え、前記顔認識手段により前記画像ファイルに予め登録されている顔が認識された場合には、該認識された顔画像に関連するウェブページにリンクを張ることを特徴とする付記９に記載のサーバ装置である。
【００７５】
（付記１３）
付記１３に記載の発明は、ウェブログへの投稿記事の投稿日時の定期性を算出する算出手段と、前記ウェブログへの投稿記事の投稿毎に前記算出手段により算出された定期性に対して、実投稿日時が所定値以上乖離しているか否かを判別する判別手段と、前記判別手段により前記算出された定期性からの乖離が所定の範囲内と判別された場合に、該投稿記事の投稿日時を、所定の日時に設定する日時設定手段とを備えることを特徴とするサーバ装置である。
【００７６】
（付記１４）
付記１４に記載の発明は、前記算出手段により算出された前記定期性が略毎日１回の場合であって、前記判別手段は、前記実投稿日の前日に投稿がなく、かつ前記実投稿日時が所定の深夜時間帯である場合に所定の範囲内の乖離と判別し、前記日時設定手段は、前記投稿記事の投稿日を、前記実投稿日の前日の所定時刻に設定することを特徴とする付記１３に記載のサーバ装置である。
【００７７】
（付記１５）
付記１５に記載の発明は、前記ウェブログは、時間軸で整理、分類された情報を記憶する記憶手段と、前記記憶手段に記憶された情報をインターネットを介して閲覧可能にする閲覧手段と、インターネットを介して任意の日時に投稿された投稿記事を、その投稿日時により整理、分類して前記記憶手段に追加して記憶させる投稿手段とにより管理されることを特徴とする付記１乃至１４のいずれかに記載のサーバ装置である。
【００７８】
（付記１６）
付記１６に記載の発明は、ウェブログの投稿記事を投稿する携帯端末と、該携帯端末から投稿されるウェブログの投稿記事を、投稿日時に関連付けて管理するサーバ装置とからなるウェブログ投稿システムであって、前記携帯端末は、前記投稿記事を前記サーバ装置に投稿するとともに、該投稿記事に関連するファイルを追加してアップロードする通信手段を備え、前記サーバ装置は、前記携帯端末から投稿される投稿記事の投稿日時を、前記携帯端末からアップロードされた前記ファイルに関連付けられている日時に連動して設定する日時設定手段を備えることを特徴とするウェブログ投稿システムである。
【００７９】
（付記１７）
付記１７に記載の発明は、携帯端末から投稿されるウェブログの投稿記事を、サーバ装置によって投稿日時に関連付けて管理するウェブログ投稿方法であって、前記携帯端末から前記サーバ装置に対して、前記投稿記事を投稿するとともに、該投稿記事に関連するファイルを追加してアップロードするステップと、前記サーバ装置が、前記携帯端末から投稿される投稿記事の投稿日時を、前記携帯端末からアップロードされた前記ファイルに関連付けられている日時に連動して設定するステップとを含むことを特徴とするウェブログ投稿方法である。
【００８０】
（付記１８）
付記１８に記載の発明は、ウェブログの投稿記事を投稿する携帯端末と、該携帯端末から投稿されるウェブログの投稿記事を、投稿日時に関連付けて管理するサーバ装置とからなるウェブログ投稿システムであって、前記携帯端末は、前記投稿記事を前記サーバ装置に投稿する通信手段を備え、前記サーバ装置は、前記携帯端末からのウェブログへの投稿記事の投稿日時の定期性を算出する算出手段と、前記ウェブログへの投稿記事の投稿毎に前記算出手段により算出された定期性に対して、前記携帯端末による実投稿日時が所定値以上乖離しているか否かを判別する判別手段と、前記判別手段により前記算出された定期性からの乖離が所定の範囲内と判別された場合に、該投稿記事の投稿日時を、所定の日時に設定する日時設定手段とを備えることを特徴とするウェブログ投稿システムである。
【００８１】
（付記１９）
付記１９に記載の発明は、携帯端末から投稿されるウェブログの投稿記事を、サーバ装置によって投稿日時に関連付けて管理するウェブログ投稿方法であって、前記携帯端末から前記サーバ装置に対して、前記投稿記事を投稿するステップと、前記サーバ装置が、前記携帯端末からのウェブログへの投稿記事の投稿日時の定期性を算出するステップと、前記ウェブログへの投稿記事の投稿毎に算出された定期性に対して、前記携帯端末による実投稿日時が所定値以上乖離しているか否かを判別するステップと、前記算出された定期性からの乖離が所定の範囲内と判別された場合に、前記投稿記事の投稿日時を、所定の日時に設定するステップとを含むことを特徴とするウェブログ投稿方法である。
【符号の説明】
【００８２】
１０  ウェブログサーバ
１１  操作部
１２  電源部
１３  記憶部
１３１  顔画像テーブル
１４  通信部
１５  制御部
２０  携帯端末
２１  操作部
２２  電源部
２３  撮像部
２４  表示部
２５  記憶部
２６  通信部
２７  制御部
【図１】
2013247515.tif 000003
【図２】
2013247515.tif 000004
【図３】
2013247515.tif 000005
【図４】
2013247515.tif 000006
【図５】
2013247515.tif 000007
【図６】
2013247515.tif 000008